(57)【特許請求の範囲】
【請求項１】
磁性を有する薄帯を軸方向に巻回して巻き鉄心を構成し、該巻き鉄心の径方向外周に絶縁を介してコイルを巻回してなる電磁部品において、
該電磁部品は、前記巻き鉄心の軸方向端部面の前記薄帯各所に切欠部が形成され、切欠部は鉄心径方向のランダムな方向に配置されているとともに、前記軸方向端部面が台形状に形成された台形状電磁部品であって、円筒状に形成された電磁部品を台形状の空間を備えた金型で押圧して形成したのちに、金型ごと焼鈍されたものであることを特徴とする電磁部品。
【請求項２】
請求項１に記載の電磁部品において、
前記切欠部は、前記薄帯の長手方向に直交する方向に形成された切断箇所であることを特徴とする電磁部品。
【請求項３】
請求項１または請求項２に記載の台形状電磁部品について、複数の台形状電磁部品を、その上底部同士と下底部同士を、絶縁物を介して複数個隣接配置して、ドーナツ状の構造物を形成し、これをモールドして構成した電磁部品。
【請求項４】
磁性を有する薄帯を軸方向に巻回し、軸方向端部面の前記薄帯各所に切欠部が形成されると共に、切欠部は径方向のランダムな方向に配置された巻鉄心について、その周方向にコイルを巻回して電磁部品とし、円筒状に形成された当該電磁部品を台形状の空間を備えた金型で押圧して形成したのちに、金型ごと焼鈍させることを特徴とする電磁部品の製造方法。
【発明の詳細な説明】
【技術分野】
【０００１】
本発明は、巻鉄心、電磁部品とその製造方法および電磁機器に係り、特に鉄心全体の鉄損を低減することができる巻鉄心、電磁部品とその製造方法および電磁機器に関する。
【背景技術】
【０００２】
省エネルギー、軽量化と低コスト化の観点から、モータや発電機、変圧器などの回転型或いは静止型の電磁機器には、非常に高い効率と出力密度が要求されている。このうち効率向上のためには、鉄心を構成する磁性薄帯や板が薄いほどよく、一般的に使われる電磁鋼板の厚みは０．５ｍｍから０．１ｍｍまで薄くされている。また、非晶質金属薄帯は、μｍレベルの厚みになっている。
【０００３】
板や薄帯の厚みを薄くすると、鉄損の一種類である渦電流損が低減できる。渦電流の大きさと鉄心の電気抵抗の間には、電気抵抗が大きい磁性材料は渦電流が流れにくいため、渦電流により発生する損失が低いという関係がある。また、磁性材料の薄帯（または板）の電気抵抗は、その長さと厚みに関係する。薄帯は短いほど、抵抗が大きくなる。また薄いほど、抵抗が大きくなる。そのため、低鉄損鉄心とするために、鋼板の板を積層した鉄心が最も広く採用されている。
【０００４】
しかし、薄い薄帯に対し、打ち抜き加工や積層するなどの加工方法を適用することが困難である。その理由は、薄帯が薄くなると、同じ寸法の鉄心を作るための加工回数が多くなるので、コストが増えることにある。また、ほとんどの薄帯は外部応力の影響を受けやすいため、機械加工後、焼鈍などの後処理が必要となっている。また、容易に製造することが非常に困難である。
【０００５】
アモルファス合金の薄帯から巻鉄心を製造することについて、特許文献１では、連続的なアモルファスリボンが巻かれた鉄心を使用している。
【０００６】
特許文献２には、「リボン状のアモルファス金属間に、絶縁物を挟む」ことと、「固定子鉄心にスリットを有する」ことと、「巻回したリボン状のアモルファス金属は、径方向に切断されること」が、渦電流損を低減するのに有効であると記載されている。
【０００７】
特許文献３には、変圧器用アモルファス鉄心が記載されている。「非晶質磁性合金薄帯を所定枚数積層し、かつ、これをそれぞれ所要の長さ寸法毎に順次切断して形成した複数の長さ寸法の異なる単位鉄心素板を、所要数階段状に積層して１ブロック分の鉄心素体群を形成し、これら鉄心素体群を、１ブロック毎に突き合せ接合し、かつ、前記鉄心素体群の突き合せ接合部が順次ずれるオーバーステップラップ接合方式とステップラップ接合方式とを組合せ・接合して１ターンカット方式の巻鉄心を形成する」と記載されている。
【先行技術文献】
【特許文献】
【０００８】
【特許文献１】特開２００８−１３６３４８号公報
【特許文献２】特開２００９−２８４５７８号公報
【特許文献３】特開２０００−１７３８３１号公報
【発明の概要】
【発明が解決しようとする課題】
【０００９】
以上述べたように、アモルファス合金の薄帯から巻鉄心を製造することについて、多くのものが知られている。
【００１０】
ここで、鉄心の鉄損には、渦電流損とヒステリシス損の２種類がある。このうち、ヒステリシス損は焼鈍することで、低減できる。これに対し渦電流損は、渦電流が流れるルート、磁場強度などの要素が関係しており、アモルファスリボンが長いほど、渦電流損が大きくなる関係にある。
【００１１】
このため、特許文献１のアモルファスリボンが巻かれたアモルファス鉄心は、製造しやすいが、渦電流損が大きいという問題がある。特に、高速回転機に適用すると、鉄損が非常に大きくなる。
【００１２】
特許文献２の渦電流損を低減させる方法では、連続的なアモルファスリボンから巻かれた鉄心の渦電流ルートをカットするようにスリット加工を取り入れているので、剥離を防止するためのモールドを必要とする。このため、鉄心の製作工程はアモルファスリボンを巻く作業、焼鈍成形作業、樹脂モールド作業とスリット加工作業が必要である。
【００１３】
特許文献２に開示された手法では、製造工程が多く、かつ、アモルファス鉄心を切断する容易な方法がなく、鉄心の製造コストが高い。また、アモルファス鉄心にモールドとスリット加工をしたあと、鉄心内部にストレスがかかるため、ヒステリシス損が増加する。更に、鉄心の中心に巻冶具用の穴が残っているため、モータに適用する際空間の利用率が低下する。
【００１４】
特許文献３に開示された発明も特許文献２と同じように、アモルファス積層体を切断することがある。アモルファス合金は非常に硬いものであるため、アモルファス合金から構成したブロックを切断すると、冶具を消耗し速く、切断時間が長いので、コストが非常に高くなる。
【００１５】
以上のことから本発明においては、低鉄損・低コストとすることができる磁性薄帯から構成した巻鉄心、電磁部品とその製造方法および電磁機器を提供することを目的とする。
【課題を解決するための手段】
【００１６】
上記課題を解決するために本発明の巻鉄心は、磁性を有する薄帯を軸方向に巻回して構成した巻鉄心であって、軸方向端部面の前記薄帯各所に切欠部が形成されると共に、切欠部は巻鉄心径方向のランダムな方向に配置されている。
【００１７】
また切欠部は、前記薄帯の長手方向に直交する方向に形成された切断箇所である。
【００１８】
また軸方向端部面が台形状に形成されている。
【００１９】
上記課題を解決するために本発明の電磁部品は、磁性を有する薄帯を軸方向に巻回して巻き鉄心を構成し、該巻き鉄心の径方向外周に絶縁を介してコイルを巻回してなる電磁部品において、巻き鉄心の軸方向端部面の薄帯各所に切欠部が形成されると共に、切欠部は鉄心径方向のランダムな方向に配置されている。
【００２０】
また、複数の台形状電磁部品を、その上底部同士と下底部同士を、絶縁物を介して複数個隣接配置して、ドーナツ状の構造物を形成し、これをモールドして構成した。
【００２１】
また、円筒状に形成された電磁部品を台形状の空間を備えた金型で押圧して形成した。
【００２２】
また、円筒状に形成された電磁部品を台形状の空間を備えた金型で押圧して形成したのちに、金型ごと焼鈍させる。
【００２３】
上記課題を解決するために本発明の製造方法は、磁性を有する薄帯を軸方向に巻回し、軸方向端部面の前記薄帯各所に切欠部が形成されると共に、切欠部は径方向のランダムな方向に配置された巻鉄心について、その周方向にコイルを巻回して電磁部品とし、円筒状に形成された当該電磁部品を台形状の空間を備えた金型で押圧して形成したのちに、金型ごと焼鈍させる。
【００２４】
上記課題を解決するために本発明の電磁機器は、磁性を有する薄帯を軸方向に巻回し、軸方向端部面の前記薄帯各所に切欠部が形成されると共に、切欠部は径方向のランダムな方向に配置された巻鉄心について、その周方向にコイルを巻回してスロットとし、スロットの前記軸方向端部面を台形状に形成し、当該台形状のスロットについて、複数の台形状スロットを、その上底部同士と下底部同士を、絶縁物を介して複数個隣接配置してドーナツ状とし、これをモールドしてステータとなし、ステータの中心部に回転軸を回転可能に保持し、ステータの回転軸に直交する面に回転軸に固定され、磁石を備えたロータを対面させて構成される。
【発明の効果】
【００２５】
本発明により、鉄心を切断する必要がなくなり、製作コストが低減できる。鉄心の鉄損について、渦電流損とヒステリシス損が低減できるので、鉄損を低減できる。また、巻鉄心は円筒状が一般的であるが、本発明は他の形状を形成できる巻鉄心を提供する。それにより、回転機と静止器に適用する所望な鉄心を得られる。
【図面の簡単な説明】
【００２６】
【図１】本発明の鉄心の一例として円筒状巻鉄心を示す図。
【図２】切断箇所前後の接合処理について説明する図。
【図３】切断箇所前後の接合処理について説明する図。
【図４】切断に代えて切り欠部を設けた例を示す図。
【図５】円筒状巻鉄心の製造方法の一例を示す図。
【図６】円筒状巻鉄心の製造方法の他の一例を示す図。
【図７】巻鉄心の薄帯長さと、渦電流損係数の関係の実測値を示す図。
【図８】本発明の鉄心の一例として台形状巻鉄心を示す図。
【図９】台形状巻鉄心を成形するための冶具の一例を示す図。
【図１０】２つの金型が嵌合により対向したときの側面を示す図。
【図１１】巻鉄心の形状の一例として長方形を示す図。
【図１２】モータのステータの１スロット分を示す図。
【図１３】９スロットのステータを示す図。
【図１４】１０極ロータを示す図。
【図１５】２ロータ１ステータのアキシャルギャップモータを示す図。
【発明を実施するための形態】
【００２７】
以下、本発明に係る鉄心およびそれを用いた電磁機器の実施例について図面を用いて説明する。
【実施例１】
【００２８】
実施例１では、鉄心の一例として円筒状巻鉄心について説明する。
【００２９】
図１は、実施例１に関わる円筒状巻鉄心の斜視図（図１左）と正面図（図１右）を示す。図１に示すように、実施例１の渦巻円筒状鉄心１００は、その巻始まりから巻終わりまで、連続ではなく、数箇所で切断されている。また、切断箇所（１００ａ，１００ｂ，１００ｃ）は径方向の同じ場所ではなく、ランダムに配置されていることを特徴とする。
【００３０】
切断箇所（１００ａ，１００ｂ，１００ｃ）前後の接合について、図２乃至図４のいずれとしてもよい。例えば図２の例では切断箇所１００ａについて、内周側の磁性部材（例えば磁性薄帯１０１）と外周側の磁性部材（例えば磁性薄帯１０２）は、隣接しており、非オーバーラップ方式とされている。切断箇所（１００ａ，１００ｂ，１００ｃ）をランダムに配置することにより、非オーバーラップ方式で接合された鉄心について、鉄心の一箇所だけで突出することが避けられる。
【００３１】
なお、非オーバーラップ方式の場合、内周側の磁性部材（例えば磁性薄帯１０１）と外周側の磁性部材（例えば磁性薄帯１０２）の間の距離は、問題としない。半周ほど離れた位置に置かれてもよい。あとで、この例を図６で説明する。
【００３２】
図３の例では切断箇所１００ａについて、内周側の磁性部材（例えば磁性薄帯１０１）と外周側の磁性部材（例えば磁性薄帯１０２）は、重なっており、オーバーラップ方式とされている。オーバーラップ方式で接合された鉄心について、仮に切断が径方向の一箇所に集中すると、回転機に適用する際、磁気抵抗が増加したり、漏れ磁束が発生する。ここでは、切り口を径方向にランダムに配置することで、漏れ磁束を低減することができる。また、巻鉄心の切断された薄帯の長さは、同一の長さにする必要がない。長さが異なる薄帯の組み合わせにしてもよい。完全に分離されている薄帯から巻鉄心に構成することにしても良い。
【００３３】
図２、図３の実施例では、リボン状の磁性部材を、長手方向に直交する方向に適宜の箇所で切断しているが、本発明の他の実施例では、切断して二分する（完全切断）必要はない。図４に示すように、切り欠部１０４が設けられている磁性薄帯から構成することにしても良い。つまり、リボン状の磁性部材の長手方向の端部の適宜の箇所に切り欠部１０４を設けてもよい。
【００３４】
図２から図４の切断は、いずれもリボン状の磁性部材の長手方向の端部の適宜の箇所に切り欠部１０４を設けたものであり、切り欠部１０４が他端部まで達して切断の形になったものが図２、図３であるといえる。
【００３５】
図５は、本実施例に関わる円筒状巻鉄心の製造方法の一例を示す。まず、長尺の磁性薄帯母材１０５が準備される。これはドラム状に巻回されている。他方、巻き取り機（図示せず）を設置し、長尺の磁性薄帯母材１０５の一端（巻始まり端）を巻き取り機の巻枠１０７に固定し、巻き取り機により所定長さを巻回して、カッター１０６により切断する。切断された磁性薄帯の端部（巻終わり端）は、巻枠１０７に巻いた鉄心に接着材や溶接などの接着手段で止める。ここで、巻枠１０７に巻いた鉄心を接着手段で止めるのは、バラけてしまうのを防止するためであり、種々の仮止め手段を適用することができる。
【００３６】
次に、巻回した鉄心の所定位置に、磁性薄帯母材１０５の巻始まり端を再度固定し、再巻回し、所定長さで切断して、巻終わり端を固定する。上記の工程は、必要な外径になるまでに、数回を繰り返すことにより、所望サイズの巻鉄心を得ることができる。なお、巻回した鉄心の所定位置に、磁性薄帯母材１０５の巻始まり端を再度固定するときには、切断箇所（１００ａ，１００ｂ，１００ｃ）が径方向の同じ場所でないように位置決めする。
【００３７】
図６は、本実施例に関わる円筒状巻鉄心の製造方法の他の一例を示す。この例では、最初に所定長さの磁性薄帯から巻鉄心１０８を製造する。同様に磁性薄帯から巻鉄心１０９を製造する。巻鉄心１０８の外径は、巻鉄心１０９の内径以上とする。それぞれ個別構成された巻鉄心は、大径の巻鉄心の内部に、小径の巻鉄心を内装するように組み合わされ、巻鉄心を構成する。本製造方法は、大径巻鉄心の内径は、小径巻鉄心の外径と同じかそれ以上とすることを特徴とする。用途により、巻鉄心間に接着手段を設けても良い。
【００３８】
この図６の左および中央の図示では、巻鉄心１０８、１０９はいずれも右巻きの位置にある。これに対し、同図右の重ね合わせの図では、巻鉄心１０９を左巻きの位置で重ねている。本発明では、切断部分があればよく、巻鉄心１０８、１０９の巻き方向はいずれでもよい。また、同図右の重ね合わせの図では、大径の巻鉄心１０９の巻始位置１０９Ｓと、小径の巻鉄心１０８の巻き終わり位置１０８Ｅが図２に比べて離れているが、本発明では、この間の距離の遠近は問題ではない。
【００３９】
鉄心の製造方法は、上述した方法に限られず、本発明の鉄心の特徴を備える限りにおいて、様々の方法を用いることができる。また、鉄心の断面形状は円形を有するように以上では説明してきたが、これは、必須ではない。長方形、台形、角丸め三角形など、任意の所望の形状を有することが可能である。
【００４０】
本発明では、巻方向のランダムな位置に切断部が設けられていることが重要である。また、鉄心を構成する磁性薄帯は一種類には限定されない。複数種類の磁性薄帯から一つの鉄心を構成することもできる。
【００４１】
本実施例で製造された巻鉄心に、ある程度焼鈍することが好ましい。焼鈍することにより、巻鉄心の中に溜まっているストレスが開放でき、ヒステリシス損が低減できる。
【００４２】
本実施例によれば、
（１）低鉄損巻鉄心を提供できる。巻鉄心を回転機に適用する際、切断箇所で渦電流を流れるループ（回路）をカットでき、渦電流損が低減できる。図７には、アモルファス合金のリボン状の薄帯を切断して構成した巻鉄心の薄帯長さ（横軸）と、渦電流損係数（縦軸）の関係の実測値を示す。巻鉄心を構成する薄帯の長さが短いほど、渦電流損が低くなることがわかる。なお、図１、図２、図３、図６の場合に薄帯の長さは、切断面の間の長手方向距離であり、図４の場合には切り欠部の間の距離に相当する。
（２）磁気特性の良い鉄心を提供することができる。本実施例により、巻鉄心の内部の切断箇所は一箇所に集中していないので、漏れ磁束を低減できる。
（３）低コストな巻鉄心を提供することができる。薄帯のブロックに切断することがなく、加工コストが低減できる。
（４）製造簡単な巻鉄心を提供することができる。本実施例によれば、巻鉄心に切断しないため、薄帯層間接着、モールドなどの剥離対策手段が必要ない。また、層間に接着材が必要ないため、鉄心の占積率も向上できる。
【実施例２】
【００４３】
実施例２では、台形状巻鉄心を製造することについて、図８〜図１１に基づいて説明する。図８は、第２実施例に係る台形状巻鉄心の斜視図と正面図である。図８の台形状巻鉄心を図１の円筒状巻鉄心と比較すると、断面形状が台形か、円形かという相違のみで、切り口１１１ａが、任意の方向に設けられているという意味では同じである。
【００４４】
図９は図８の台形状巻鉄心を成形するための冶具の一例を示す。成形冶具は、２つの金型２０ａ，２０ｂで構成される。図９では、理解を容易にするために２つの金型２０ａ，２０ｂの対向面２０ａ１，２０ｂ１が見えるような位置に図示している。対向面２０ａ１，２０ｂ１には、鉄心載置空間１１４ａ，１１４ｂと、位置合わせ用ピン１１２、位置あわせ用穴１１３が設けられている。また、２つの金型２０ａ，２０ｂは、外力Ｐにより移動し、位置合わせ用ピン１１２と位置あわせ用穴１１３が嵌合し、対向面２０ａ１，２０ｂ１同士が対向する。
【００４５】
図１０は、２つの金型２０ａ，２０ｂが嵌合により対向したときの側面２０ａ２，２０ｂ２を示す図であり、２つの金型２０ａ，２０ｂにそれぞれ形成された鉄心載置空間１１４ａ，１１４ｂにより、嵌合時には台形状の空間を構成していることがわかる。
【００４６】
また、以上の説明から想起できるように、図９の嵌合開始前の状態において、鉄心載置空間１１４ａ，１１４ｂに図１に示すような１つの円筒状巻鉄心１００を、巻き面を手前に配置し、その後外力Ｐにより対抗面２０ａ１，２０ｂ１を嵌合状態とすれば、図８のような台形状巻鉄心１１１が得られる。
【００４７】
また、嵌合時の鉄心載置空間の金型形状を工夫すれば、第系以外の断面形状の巻き鉄心を得ることができる。図１１は巻鉄心の形状の一例として長方形を示す。この場合にも切断箇所は断面の任意の方向に形成されている。
【００４８】
第２実施例に係る巻鉄心は、第１実施形態の円筒状巻鉄心と共通するところが多いので、以下、共通部分については詳しい説明は省略し、異なる部分を重点的に説明する。
【００４９】
本実施例においては、実施例１により構成した円筒状鉄心を用い、他の形状を持つ鉄心を成形する。まず、成形用冶具について説明する。成形精度を向上させるため、成形冶具本体（金型）は少なくとも二つ分離されている冶具から構成される。成形冶具の中心に所望鉄心の形状としたスベース（鉄心載置空間１１４ａ，１１４ｂ）を設ける。成形する時、冶具の位置を高精度に合わせるため、冶具で位置合わせるピンなどの合わせ手段が設けられる。成形冶具の材料は強度が高い材料が好ましい。
【００５０】
本実施例に関する巻鉄心の製造方法は、
（ａ）実施例１により円筒状鉄心を構成し、
（ｂ）構成した円筒状鉄心は成形冶具中で所定位置に配置し、金型２０ａ，２０ｂは位置合わせながら、外部から力をかけて、図１０に示すように、金型２０ａ，２０ｂを合わせる。外部の力は、金型２０ａ，２０ｂに設けているネジ穴１１５を用いる、ネジで締める力やプレス機により締める力を含む。
（ｃ）外力をかけて形成した鉄心は、金型２０ａ，２０ｂに収納したまま、焼鈍炉である程度焼鈍することが好ましい。それにより、外部応力により溜まっているストレスが解消でき、鉄心の磁気特性を向上できる。また、焼鈍することにより、鉄心は金型２０ａ，２０ｂから外した後、特に、別の固定手段がなくても、鉄心形状を維持することができる。以上の固定により、図８に示した台形状鉄心を得ることができる。
【００５１】
上記方法により形成した図８の台形巻鉄心１１１は、角度Ｒが設けられていることを特徴とする。また、鉄心の中心の穴は、変形する前の巻鉄心より小さいことを特徴とする。
【００５２】
上記方法では台形状鉄心について説明したが、他の形状の鉄心も同様な方法で形成できる。図１１は、長方形の巻鉄心の例を示す。
【００５３】
本実施例によれば、以下の効果を奏する。
【００５４】
（１）成形度自由な巻鉄心を提供できる。円筒状巻鉄心に限らず、金型２０ａ，２０ｂの形状により、様々な形状を持つ巻鉄心を成形できる。
【００５５】
（２）低鉄損な巻鉄心を提供できる。巻鉄心を構成している磁性薄帯は切断されているため、渦電流損が低減できる。また、巻鉄心に焼鈍をされているため、ヒステリシス損が低減できる。従って、鉄損を低減できる。
【００５６】
（３）高占積率な巻鉄心を提供できる。磁性薄帯の各層の間に接着材や樹脂などのものを設けていないため、鉄心の占積率が向上できる。また、金型２０ａ，２０ｂを介して、外部力で、形状を再成形する際、切断されている薄帯は隙間に動くことができ、鉄心の隙間を解消でき、占積率が高くになる。
【００５７】
（４）鉄心の磁気特性を向上できる。本実施例により、鉄心の中心部に、穴が潰すことができ、漏れ磁束が低減できるため、鉄心の磁気特性を向上できる。
【実施例３】
【００５８】
本実施例では、図１２〜１５を用いて、実施例２で得られた台形巻鉄心を適用した回転機の一例について説明する。本実施例では、アキシャルギャップモータについて説明するが、他のタイプのモータ、例えば、ラジアルギャップモータやトロイダルモータなどにも適用できる。
【００５９】
図１２に、モータのステータの１スロット分を示す。ここでは、切断されている薄帯から構成した実施例２の台形状巻鉄心１１１の外周に、コイル１１６を配置して、ステータの１スロット分としている。この場合に、台形状巻鉄心１１１とコイル１１６の間は絶縁されている。なお、鉄心の断面形状が台形の例で説明したが、これは必須ではない。そのかわりに、円形、長方形、角を丸めた三角形など、任意の所望の形状とすることが可能である。角付きの鉄心は、外周のコイルの絶縁層が破れないように、角度Ｒを付けることが好ましい。
【００６０】
図１３に、９スロットのステータを示す。鉄心１１１とコイル１１６は、周方向に等間隔で配置されている。また、スロットとスロットの間には絶縁物（図示せず）を挟む。ステータ全体は、樹脂モールドで固定される。図１３は、個々が図１２の台形状のスロットについて、複数の台形状スロットを、その上底部同士と下底部同士を絶縁物を介して複数個隣接配置し、ドーナツ状の構造物を形成し、これをモールドして構成したステータである。
【００６１】
なお、図１２のモータのステータの１スロット分、あるいは図１３の複数スロットのステータは、いずれも最終製品から見れば中間的な部材であることから、本明細書においてはこれらを纏めて電磁部品として取り扱うことにする。
【００６２】
図１４に、１０極ロータを示す。磁石１１７は、等間隔にロータヨーク１１８の表面に１０個配置する。磁石１１７は、他の磁気材料でもかまわない、場合によっては、電磁石でもよい。また、磁石１１７の形状も任意の適切な形状でよい。ロータヨーク１１８は、鉄ベースの材料または他の磁気材料から構築する。ロータヨークの鉄損、主に渦電流損を低減するため、実施例１に示した薄帯から構成したトロイダル状巻鉄心が好ましい。
【００６３】
図１５は、２ロータ１ステータのアキシャルギャップモータを示す。アキシャルギャップモータでは、モータハウジング１２０内に、図１４に図示したロータ１３０を２組備えており、ロータ１３０の間に、図１３に図示したステータ１４０を、エアギャップを介して挟む構造である。なお、ロータ１３０とシャフト１１９は固定され、ステータ１４０はハウジング１２０に固定されている。またシャフト１１９は、ベアリング１２１により、ステータ１４０に回転可能に保持される。またロータヨークはベアリングの内輪を押さえる構造となっている。
【００６４】
また、ステータ１４０は、図１３のように構成され、図１５の位置に配置されている。つまり、９スロットのステータ１４０を構成する各スロットについてみると、図１２の形状をしており、図１２の巻き鉄心１１１の上下面にエアギャップを介してロータ１３０の磁石１１７が面している。また、図１３のステータ１４０は、樹枝モールド１２３されている。
【００６５】
このため、ロータ１３０側の磁石１１７と、ステータ１４０側のステータコア１４１は対向するように設置されている。そのため、ロータ１３０から発生している磁束Φは、ステータコア１４１の巻き鉄心１１１の積層方向１４３と垂直になって、磁性薄帯の面内には渦電流が流れない。
【００６６】
この結果、磁性薄帯の厚みある面で流れている渦電流について、切り口が設けられている巻鉄心を用いることより、渦電流ループが短くできるため、鉄心全体の鉄損が低減できる。
【符号の説明】
【００６７】
１００：巻鉄心
１０１：磁性薄帯１
１０２：磁性薄帯２
１０４：切り口
１０５：磁性薄帯母体
１０６：カッター
１０７：巻枠
１０８：巻鉄心
１０９：巻鉄心
１１１：台形巻鉄心
１１２：位置合わせ用ピン
１１３：ネジ穴
１１４：巻き鉄心載置用空間
１１５：長方形鉄心
１１６：コイル
１１７：磁石
１１８：ロータヨーク
１１９：シャフト
１２０：モータハウジング
１２１：ベアリング
１２３：樹脂モールド
【図１】
0005327257.tif 000002
【図２】
0005327257.tif 000003
【図３】
0005327257.tif 000004
【図４】
0005327257.tif 000005
【図５】
0005327257.tif 000006
【図６】
0005327257.tif 000007
【図７】
0005327257.tif 000008
【図８】
0005327257.tif 000009
【図９】
0005327257.tif 000010
【図１０】
0005327257.tif 000011
【図１１】
0005327257.tif 000012
【図１２】
0005327257.tif 000013
【図１３】
0005327257.tif 000014
【図１４】
0005327257.tif 000015
【図１５】
0005327257.tif 000016